(57)【要約】【課題】漁網ロープとの結束の強度を向上させることができ、しかも結束作業を容易に行うことのできる漁網用フロートの提供。【解決手段】中空の本体１と、漁網ロープ３への複数の結束取付部２を備え、各結束取付部２は、帯板状の金属片を曲げてリング状に形成し、一端部９ａと他端部９ｂを本体表面に当接して溶接したものであり、本体から離れた位置に漁網ロープに長手方向に沿って当接する漁網ロープ当接部４を有し、漁網ロープ当接部の両端部に連続して結束ロープ巻き掛け部５ａ，５ｂを有し、結束ロープ巻き掛け部は、漁網ロープ当接部４との間の角度が９０°より大きい角度で傾斜すると共に、その横断面において角がＲ状に面取りしてあり、一方の結束ロープ巻き掛け部５ｂに結束ロープ７ｂが係止する凹段部８を有しており、複数の結束取付部２は、漁網ロープ当接部４が一直線状となるように配置してあることを特徴とする。【選択図】      図１
2004254609.tif 000002
【特許請求の範囲】
【請求項１】
中空の本体と、漁網ロープへの複数の結束取付部を備え、各結束取付部は、帯板状の金属片を曲げてリング状に形成し、一端部と他端部を本体表面に当接して溶接したものであり、本体から離れた位置に漁網ロープに長手方向に沿って当接する漁網ロープ当接部を有し、漁網ロープ当接部の両端部に連続して結束ロープ巻き掛け部を有し、結束ロープ巻き掛け部は、漁網ロープ当接部との間の角度が９０°より大きい角度で傾斜すると共に、その横断面において角がＲ状に面取りしてあり、一方の結束ロープ巻き掛け部に結束ロープが係止する凹段部を有しており、複数の結束取付部は、漁網ロープ当接部が一直線状となるように配置してあることを特徴とする漁網用フロート。
【請求項２】
結束取付部は、帯板状の金属片の一端部がリングの外側に折り曲げて本体に溶接してあることを特徴とする請求項１記載の漁網用フロート。
【発明の詳細な説明】
【０００１】
【発明の属する技術分野】
本発明は、漁網用フロートに関するものである。
【０００２】
【従来の技術】
漁網用フロートには、中空の本体の中央にパイプを貫通して備え、そのパイプに漁網を吊るロープ（漁網ロープ）を挿通して取付ける貫通式と、本体の外部に漁網ロープに結束するための孔の空いた結束取付部を耳状に張り出して設け、漁網ロープとフロートの結束取付部とを結束ロープで結束して取付ける耳式の二通りのタイプがある（貫通式について例えば特許文献１、耳式について例えば特許文献２参照。）。貫通式のものは、本体の孔に漁網ロープを通すだけで簡単に取付けできるが、取付けた後にフロートをロープの所定の位置まで移動させなければならず、また、複数のフロートのうちの一個だけを交換することができない。一方、耳式のフロートの場合は、漁網ロープとフロートの結束取付部を結束するのに多少時間が掛かるが、漁網ロープの任意の位置にフロートを直接取付けできる利点がある。これまでは、貫通式が主流であったが、近年、漁網ロープへの着脱がより容易な耳式の要望が高まっている。
【０００３】
【特許文献１】
特開２００１−６９８７３号公報
【特許文献２】
実開平２−２３４７３号公報
【０００４】
【発明が解決しようとする課題】
漁網用フロートは、台風などで海が荒れた時には海中に引っ張り込まれることもあり、そんな時に耳式のフロートでは、漁網ロープと結束しているフロートの結束取付部に強大な引っ張り力が掛かる。そのため、フロートの結束取付部と漁網ロープとが結束ロープによってしっかりと固定できていないと、結束取付部が漁網ロープと擦れて移動し、漁網ロープや結束ロープを損傷したり、結束が解けてフロートが漁網から分離してしまうおそれがある。また、結束が解けなくても、フロートの結束取付部が本体から取れてしまうこともあった。本発明はこうした実情に鑑み、漁網ロープとの結束の強度を向上させることができ、しかも結束作業を容易に行うことのできる漁網用フロートの提供を目的とする。
【０００５】
【課題を解決するための手段】
上記の課題を達成するために、請求項１記載の発明による漁網用フロートは、中空の本体と、漁網ロープへの複数の結束取付部を備え、各結束取付部は、帯板状の金属片を曲げてリング状に形成し、一端部と他端部を本体表面に当接して溶接したものであり、本体から離れた位置に漁網ロープに長手方向に沿って当接する漁網ロープ当接部を有し、漁網ロープ当接部の両端部に連続して結束ロープ巻き掛け部を有し、結束ロープ巻き掛け部は、漁網ロープ当接部との間の角度が９０°より大きい角度で傾斜すると共に、その横断面において角がＲ状に面取りしてあり、一方の結束ロープ巻き掛け部に結束ロープが係止する凹段部を有しており、複数の結束取付部は、漁網ロープ当接部が一直線状となるように配置してあることを特徴とする。結束ロープ巻き掛け部の傾斜角度は限定しないが、漁網ロープ当接部とのなす角が１２０°前後（漁網ロープとのなす角が６０°前後）となる傾斜が最も好ましい。また、結束ロープ巻き掛け部の面取りは、結束ロープが当る方の角にだけ行ってもよい。
【０００６】
上記の構成となった本発明の漁網用フロートは、結束取付部の漁網ロープ当接部と漁網ロープとを結束ロープで結束した上に、さらに両側の結束ロープ巻き掛け部に結束ロープを横に巻回して結束し、漁網ロープに取付ける。こうすることによって、漁網ロープ当接部と漁網ロープを結束している結束ロープが、結束ロープ巻き掛け部に巻回した結束ロープによって押さえ付けられて固定されるため、結束の強度が大幅に向上することとなる。結束ロープ巻き掛け部と漁網ロープ当接部とのなす角が９０°であったり、９０°よりも小さい角度で傾斜していると、横の結束ロープをきつく締め上げて結束することが容易ではなく、また仮にできたとしても後から緩んでくるおそれがあるが、本発明のものは結束ロープ巻き掛け部が漁網ロープ当接部に対して９０°より大きい角度で傾斜しているので、横の結束ロープをきつく引き締めて結束することが容易であり、後から緩んでくることもない。さらに一方の結束ロープ巻き掛け部に結束ロープが係止する凹段部を設けてあることで、横の結束ロープの結束作業を一層容易に行うことができる。また、結束ロープ巻き掛け部が、横断面において角をＲ状に面取りしてあることで、横の結束ロープをきつく締め上げても結束ロープに傷が付かず、結束ロープの破断を防止できる。
【０００７】
さらに請求項２記載の発明による漁網用フロートは、結束取付部は、帯板状の金属片の一端部がリングの外側に折り曲げて本体に溶接してあることを特徴とする。このように形成すると、帯板状の金属片の一端部と他端部の端面を突き合わせるように単なるリング状に形成した場合に比べ、結束取付部の本体に溶接固定される部分の面積が大きくなるので、結束取付部を本体に強固に溶接固定することができる。
【０００８】
【発明の実施の形態】
以下、本発明の実施の形態を図面に基づいて説明する。図１から図３は、本発明の漁網用フロートの一実施形態を示している。このフロートは、図３に示すように、横長の楕円体形状となった中空の本体１に漁網ロープ３への結束取付部２を二箇所に有し、その結束取付部２を、図１（ロ）に示すような形で、結束ロープ７ａ，７ｂで漁網ロープ３に縦・横に二重に結束することによって、漁網ロープ３に取り付けられるものである。本体１は材質がアルミで、椀状の二つの分割体１０ａ，１０ｂから成っている。より詳しくは、板厚２〜３ミリのアルミの板をプレス加工して一対の椀状の分割体１０ａ，１０ｂを形成し、一方の分割体１０ａの開口縁部を他方の分割体１０ｂの開口縁部に嵌め込み、合わせ目を溶接して一体化したものである。内側に嵌め込まれる分割体１０ａの端縁部には、本体が水圧等で潰れないように補強リブ１１を設けてある。
【０００９】
結束取付部２は、幅３０ミリのアルミの帯状板（フラットバー）をリング状に曲げて形成し、継ぎ目側を本体１表面に溶接したもので、リング外側に折り曲げたフラットバーの一端部９ａと、リングの内側にあるフラットバーの他端部９ｂを、本体１への溶接固定部としてある。溶接固定部９ａ，９ｂは、図２（ハ）に示すように、本体１表面の曲率に合わせて若干湾曲している。結束取付部２の下側の部分には、本体１に添わせた漁網ロープ３が長手方向に当接する漁網ロープ当接部４を有している。漁網ロープ当接部４は、必要な結束強度を達成できる十分な長さとし、例えば３５ミリとする。漁網ロープ当接部４は、図２（イ）に示すように、横断面において漁網ロープ３の外径に添う凹んだ湾曲面状に形成してある。これにより漁網ロープ当接部４は、漁網ロープ３の周囲に密着し、漁網ロープ３と漁網ロープ当接部４に巻回した結束ロープ７ａによって強固に固定され、漁網ロープ当接部４が漁網ロープ３と擦れて移動することが防がれる。また、結束作業をする時にも、漁網ロープ当接部４が漁網ロープ３に対して引っ掛かりがあるため、結束作業がしやすい。
【００１０】
結束取付部２には、漁網ロープ当接部４の両端部に連続して、漁網ロープ当接部４に対して約１２０°（漁網ロープに対して約６０°）で傾斜した結束ロープ巻き掛け部５ａ，５ｂを有している。さらに、一方の結束ロープ巻き掛け部５ｂの付け根部分には、凹段部８を設けてある。また、結束ロープ巻き掛け部５ａ，５ｂの断面形状は、図２（ロ）に示すように、周囲の角をＲ状に面取りして略楕円形状ないし長円形状としてある。なお本実施形態のものでは、結束ロープ巻き掛け部５ａ，５ｂの部分だけでなく、結束取付部２を形成するフラットバーの側縁部の全長に亘って、Ｒ状の面取り６を施してある。フラットバーの側縁部を予めそのようにＲ状に面取りしておくことで、結束ロープが切れるのを防止できるとともに、曲げ加工を容易に行えることにもなる。
【００１１】
漁網ロープ当接部４と漁網ロープ３とに結束ロープ７ａを縦に巻回して結束した後、図１（ロ）に示すように、両側の結束ロープ巻き掛け部５ａ，５ｂに結束ロープ７ｂを横に巻回して結束することにより、横の結束ロープ７ｂが縦の結束ロープ７ａを押え付けて固定することとなり、結束ロープ７ａが緩むことが防がれ、したがって縦の結束ロープ７ａだけで結束した時に比べて、結束の強度が大きく向上する。結束ロープ巻き掛け部５ａ，５ｂが、漁網ロープ当接部４に対して１２０°傾斜していることで、横の結束ロープ７ｂを容易に締め上げて、きつく結束することができ、後から結束ロープ７ｂが緩むことも防止できる。そのように結束ロープ７ｂを強く締め上げても、結束ロープ巻き掛け部５ａ，５ｂの周囲の角をＲ状に面取りしてあるため、結束ロープ７ｂが角と擦れて損傷することがない。このことは結束ロープ７ａについても言える。また、結束ロープ７ｂを横に巻回する際、片側で結束ロープ７ｂが凹段部８に係止して固定されるため、作業がしやすい。縦の結束ロープ７ａと横の結束ロープ７ｂは、別々のものを個々に縛るようにしても良いし、一本の結束ロープを縦・横に連続的に巻回して最後に一回だけ縛るようにしても良い。
【００１２】
結束取付部２は、図３に示すように、本体１のＲ面上の斜め下約４５°の位置に左右対称に設けてあって、本体１の外径及び全長からはみ出さないようにしてある。従って、本フロートを出荷等で箱に梱包する際に、結束取付部２が邪魔になることがない。また左右の結束取付部２は、その漁網ロープ当接部４が一直線状となるように配置されており、且つ各漁網ロープ当接部４が、本体１の外形よりも僅かに内側に入った所に位置している。これにより左右の結束取付部２に漁網ロープ３を無理なく結束できるとともに、結束した漁網ロープ３がその中間で本体１と接することとなるため、漁網ロープ３の振動が防がれ、結束の緩みが発生しにくい。
【００１３】
本発明の漁網用フロートは、以上に述べた実施形態に限定されない。例えば、本体を球形としたり円筒状としてもよいし、その構成についても限定しない。結束取付部は、通常は二つ設けてあればよいが、大型のものに対しては三つ以上設けてもよい。本体と結束取付部の材質は、軽さや耐食性、加工の容易性などの点からアルミが適しているが、チタン等の他の材質としてもよい。
【００１４】
【発明の効果】
請求項１記載の発明による漁網用フロートは、結束取付部の漁網ロープ当接部と漁網ロープとを結束ロープで結束した上に、さらに両側の結束ロープ巻き掛け部に結束ロープを横に巻回して結束することにより、結束の強度を大きく向上させることができる。ここで特に結束ロープ巻き掛け部が、漁網ロープ当接部との間の角度が９０°より大きくなるように傾斜していることで、横の結束ロープをきつく引き締めて結束することが容易であり、且つ結束した後で緩むことがなく、さらに一方の結束ロープ巻き掛け部に結束ロープが係止する凹段部を設けてあることで、横の結束ロープの結束作業を一層容易に行うことができる。また、結束ロープ巻き掛け部は、横断面において角をＲ状に面取りしてあるので、結束ロープをきつく締め上げても結束ロープが損傷せず、結束ロープの破断を確実に防止できる。
【００１５】
さらに請求項２記載の発明によれば、結束取付部を、帯板状の金属片の一端部と他端部の端面を突き合わせるように単なるリング状に形成した場合に比べ、本体に溶接固定される部分の面積が大きくなるので、結束取付部を本体に強固に溶接固定することができる。
【図面の簡単な説明】
【図１】（イ）（ロ）
図３に示す漁網用フロートの結束取付部を拡大した図であり、（イ）図は漁網ロープを結束する前の状態、（ロ）図は漁網ロープを結束した状態を示す。
【図２】（イ）（ロ）（ハ）
図１中のＡ−Ａ、Ｂ−Ｂ、Ｃ−Ｃにおける各断面図である。
【図３】
本発明の漁網用フロートの一実施形態を示す正面図である。
【符号の説明】
１  本体
２  結束取付部
３  漁網ロープ
４  漁網ロープ当接部
５ａ，５ｂ  結束ロープ巻き掛け部
６  面取り
７ａ，７ｂ  結束ロープ
８  凹段部
９ａ  溶接固定部（一端部）
９ｂ  溶接固定部（他端部）
【図１】
2004254609.tif 000003
【図２】
2004254609.tif 000004
【図３】
2004254609.tif 000005